(57)【要約】【課題】消費者が取り出した商品を元の位置に戻すことを誘導することのできる表示用ユニット及びこれを用いた陳列用具を提供すること。【解決手段】前後方向に延びるユニット支持部材１４と、当該ユニット支持部材１４の前部に着脱自在に装着された表示部材２１を含む表示用ユニット１２とを備えて陳列用具１０が構成されている。表示部材２１は、表示面２１Ａが前方向きとなる表示位置を保持するように設けられ、表示面２１が後方下向きとなる退避位置に移動して取り出した商品Ｇを戻す作業を容易ならしめる。また、退避位置にある表示部材２１は、表示位置復帰手段３２によって前方に押圧され、これにより、その押圧力を解除したときに表示位置に復帰する。【選択図】          図１
2004229985.tif 000002
【特許請求の範囲】
【請求項１】
ユニット本体と、当該ユニット本体に対して所定の表示位置と退避位置との間で移動可能に設けられた表示部材とを含む表示用ユニットにおいて、
前記表示部材は、常時は表示位置を保持するように設けられ、
前記表示部材を退避位置に移動させた時に当該退避位置から前記表示位置に戻す表示位置復帰手段を備えていることを特徴とする表示用ユニット。
【請求項２】
ユニット本体と、当該ユニット本体に対して所定の表示位置と退避位置との間で移動可能に設けられた表示部材とを含む表示用ユニットにおいて、
前記表示部材は、常時は表示面が前方向きとなる表示位置を保持するように設けられ、
前記表示面が後方下向きとなる退避位置に移動したときに、前記表示部材を前方に押圧して当該表示部材を前記退避位置から表示位置に戻す表示位置復帰手段を備えていることを特徴とする表示用ユニット。
【請求項３】
前記表示部材は、薄肉のヒンジ部を介して前記ユニット本体と一体に設けられていることを特徴とする請求項１又は２記載の表示用ユニット。
【請求項４】
前記表示位置復帰手段は、ユニット本体と表示部材との間に配置された弾性部材により構成され、この弾性部材は、前記表示部材が前記退避位置に移動するときに弾性変形することを特徴とする請求項１，２又は３記載の表示用ユニット。
【請求項５】
前後方向に延びるユニット支持部材と、このユニット支持部材の下方位置に併設された商品保持部材とを含む支持体と、前記ユニット支持部材の前部に着脱自在に装着された表示部材を含む表示用ユニットとを備えた陳列用具において、
前記表示部材は、常時は表示面が前方向きとなる表示位置を保持するように設けられ、
前記表示面が後方下向きとなる退避位置に移動したときに、前記表示部材を前方に押圧して当該表示部材を前記退避位置から表示位置に戻す表示位置復帰手段を備えていることを特徴とする陳列用具。
【発明の詳細な説明】
【０００１】
【発明の属する技術分野】
本発明は表示用ユニット及びこれを用いた陳列用具に係り、更に詳しくは、商品を吊り下げた状態で陳列する場合の当該商品情報の表示機能を備えた表示用ユニット及びこれを用いた陳列用具に関する。
【０００２】
【従来の技術】
従来より、例えば、文具或いは日用小物類等の商品を個々若しくは複数を梱包単位としてパッケージし、当該パッケージの上部に形成された穴を利用して商品を多数吊り下げた状態で陳列することが行われている。また、パッケージの上部に穴を設けずに、当該パッケージの上端から突出するフックを設けておき、このフックを利用して商品を陳列することも行われている。
【０００３】
商品陳列に用いられる陳列用具としては、例えば、図７に示されるタイプのものが知られている。この陳列用具は、線材Ｗを格子状に配設してなるメッシュ領域を含む図示しない陳列什器に対し、前後方向に延びる丸軸状の支持部材７１と、この支持部材７１の前端部に取り付けられた表示用ユニット７２と、支持部材７１と略平行に併設される丸軸状の商品保持部材７３と、これら支持部材７１と商品保持部材７３の一端側すなわち後端側に設けられた連結部材７４と、当該連結部材７４の後端に溶接等の手段を介して取り付けられたフック部材７５とを備えて構成されている。この陳列用具は、フック部材７５を横方向に配設された線材Ｗに引っ掛けて陳列什器の前方領域に支持され、これにより、当該前方領域に多数の商品Ｇが吊り下げられた状態で陳列可能となる。
【０００４】
前記表示用ユニット７２は、透光性を有する樹脂プレート等により構成されており、当該表示用ユニット７２の前面を表示面として商品Ｇの品名や、価格等の商品関連情報を表示した表示片７７が貼着され、或いは、二枚厚としてプレート間の隙間に挟んで保持されるようになっている。ここで、表示用ユニット７２は、支持部材７１の前端側に蝶番８０等を介して取り付けられており、常時は表示面が略鉛直面内に位置する表示位置を取る一方、必要に応じて上方へ反転させて支持部材７１と商品保持部材７３の前端間を開放する位置まで回転移動できるようになっている（図８参照）。なお、商品Ｇのパッケージには、その上端部に丸穴Ｈ（図７参照）が形成されており、この丸穴Ｈに商品保持部材７３が貫通することで、当該商品保持部材７３の軸方向に沿って同一商品が多数個陳列可能となる。従って、消費者は、最前方に位置する商品Ｇを商品保持部材７３から抜き出して取り出すことができる。
【０００５】
【発明が解決しようとする課題】
しかしながら、このような陳列用具にあっては、消費者が商品Ｇを取り出した後に、これを元に戻そうとした場合に、前記表示用ユニット７２を邪魔な存在として感じさせてしまい、商品を元の位置に戻すことなく周辺に置き去りにしてしまう、という実状がある。この場合、前記表示用ユニット７２を蝶番８０を回転中心として上方に反転させることもできるが、上方にある商品Ｇの下端Ｇ１と前記支持部材７１の上縁７１Ａとの間の高さＨが十分に確保された状態にない場合、つまり、上方の商品Ｇの下端Ｇ１位置が前記上縁７１Ａに非常に接近している場合には、表示用ユニット７２を反転させることができないので、結局は、取り出した商品を戻すことなく同様に置き去りにしてしまうこととなる。
【０００６】
ところで、消費者が商品Ｇを取り出す場合には、手が表示用ユニット７２にぶつかったり、当該商品Ｇのパッケージが表示用ユニット７２の後面側にぶつかって取り出される場合が通常となる。従って、取り出した商品Ｇを戻すに際し、表示用ユニット７２が後方にも移動できることが消費者に認識されれば、商品取り出し操作の反対動作を促すことができるようになり、これによって、取り出した商品を置き去りにすることなく元の位置に戻させるべく心理的に誘導することが可能となる。
【０００７】
【発明の目的】
本発明は、商品が置き去りにされ易い従来構造の不都合に着目し、また、消費者の行動パターンを分析して案出されたものであり、その目的は、表示部材の後方退避位置への移動を可能とし、消費者が取り出した商品を元の位置に戻すことを誘導することのできる表示用ユニット及びこれを用いた陳列用具を提供することにある。
【０００８】
【課題を解決するための手段】
前記目的を達成するため、本発明は、ユニット本体と、当該ユニット本体に対して所定の表示位置と退避位置との間で移動可能に設けられた表示部材とを含む表示用ユニットにおいて、
前記表示部材は、常時は表示位置を保持するように設けられ、
前記表示部材を退避位置に移動させた時に当該退避位置から前記表示位置に戻す表示位置復帰手段を備える、という構成を採っている。ここで、前記表示部材は、常時は表示面が前方向きとなる表示位置を保持するように設けられ、前記表示面が後方下向きとなる退避位置に移動したときに、前記表示部材を前方に押圧して当該表示部材を前記退避位置から表示位置に戻すようにすることが好ましい。このような構成とすれば、表示部材が後方に向かって退避することができるため、陳列用具の部品として適用したときに、取り出した商品を元の位置に戻す際に表示部材が邪魔な存在になり難くなり、周辺に商品を置き去りにしてしまうという従来の不都合を解消することができる。しかも、表示部材が退避しても、その退避を行わせる押圧力が解除されたときに、表示位置に復帰させることができる。
【０００９】
また、本発明は、前後方向に延びるユニット支持部材と、このユニット支持部材の下方位置に併設された商品保持部材とを含む支持体と、前記ユニット支持部材の前部に着脱自在に装着された表示部材を含む表示用ユニットとを備えた陳列用具において、
前記表示部材は、常時は表示面が前方向きとなる表示位置を保持するように設けられ、
前記表示面が後方下向きとなる退避位置に移動したときに、前記表示部材を前方に押圧して当該表示部材を前記退避位置から表示位置に戻す表示位置復帰手段を備える、という構成を採り、これにより、陳列用具としての利用価値を高めることができる他、表示用ユニットを前記支持体に着脱自在としたことにより、既存の支持体に対して適用することができる汎用性も付与することが可能となる。
【００１０】
【発明の実施の形態】
本発明において、前記表示部材は、薄肉のヒンジ部を介して前記ユニット本体と一体に設けることが好ましい。このような構成では、型による一体成形により、生産コストを抑制できる他、蝶番等の部材を用いる必要性を廃した部品点数の削減を図ることができる。
【００１１】
また、前記表示位置復帰手段は、ユニット本体と表示部材との間に配置された弾性部材により構成され、この弾性部材は、前記表示部材が前記退避位置に移動するときに弾性変形することを特徴とする請求項１，２又は３記載の表示用ユニット。このような構成では、単に弾性部材を設けるだけで、表示部材を表示位置に復帰させる力を発揮することができ、また、表示部材が退避位置に移動するときの動作もスムースなものとなる。しかも、表示部材の回転中心回りにばね等を設ける構造ではないので、構成上の簡易化も達成することができる。
【００１２】
【実施例】
以下、本発明の実施例を図面を参照しながら説明する。
【００１３】
図１には、本実施例に係る陳列用具の概略側面図が示され、図２には、表示用ユニットの拡大斜視図が示されている。これらの図において、陳列用具１０は、支持体１１と、当該支持体１１に支持された表示用ユニット１２とにより構成されている。支持体１１は、ステンレス等からなる丸軸材料を側面視略コ字状となるように折り曲げて形成されており、略水平方向に前後に延びるユニット支持部材１４と、このユニット支持部材１４の後端すなわち図１中左端に連なって略鉛直向きとなる連結部材１５と、この連結部材１５の下部に連なるとともに、ユニット支持部材１４の下方位置で当該ユニット支持部材１４と略平行に延びる商品保持部材１６と、前記連結部材１５の後端縁に溶接等の手段を介して固定されたフック部材１７とにより構成されている。
【００１４】
前記ユニット支持部材１４は、その前端に、当該ユニット支持部材１７の軸線に対して図１中紙面直交方向に延びる交差軸部１８が設けられ、この交差軸部１８により、前記表示用ユニット１２をユニット支持部材１４の前部に装着したときに当該ユニット支持部材１４の軸回りに表示用ユニット１２が回転できないようになっている。また、商品保持部材１６は、ユニット支持部材１４の長さよりも短い長さに設けられ、その前端側は、保持された商品Ｇの脱落を防止する上向き屈曲部１６Ａとして形成されている。
【００１５】
前記フック部材１７は、その上部に反転Ｕ字状のフック１７Ａを備え、そのＵ字の内側に図示しない陳列什器のメッシュ領域を形成する線材Ｗが位置する一方、フック部材１７の下部後縁に下段側の線材Ｗが接触するようになっている。従って、陳列用具１０を陳列什器に装着した状態、すなわち、前記線材Ｗに引っ掛けた状態で、ユニット支持部材１４及び商品保持部材１６が陳列什器の前方領域に突出して略水平姿勢に保たれることとなる。
【００１６】
前記表示用ユニット１２は、合成樹脂材料を用いて形成された一体成形品により構成されている。この表示用ユニット１２は、ユニット本体２０と、当該ユニット本体２０に対して所定の表示位置と退避位置との間で移動可能に設けられた表示部材２１とを備えて構成されている。ユニット本体２０は、図２ないし図４に示されるように、ユニット支持部材１４の前部に着脱自在に装着される装着部形成体２５と、この装着部形成体２５の前部中間領域の下縁に薄肉のヒンジ部２６（図４（Ａ）参照）を介して連結された前方部材２７と、この前方部材２７を中間に挟む位置で、前記装着部形成体２５の下縁に薄肉のヒンジ部２９（図４（Ｃ）参照）を介して連結されるとともに、側面視略Ｌ字状をなす一対の翼部材３０，３０と、前記装着部形成体２５の下部前方中央に連なって斜め下前方に向けられた表示位置復帰手段としての弾性部材を構成するアーム部材３２とにより構成されている。ここで、前記前方部材２７及び翼部材３０は、それぞれヒンジ部２６，２９を介して装着部形成体２５に連結されているため、前記表示部材２１の前方より後方への押圧力が付与されたときに、当該表示部材２１と共に図１中時計方向に回転して後方への退避位置に移動することとなり（図６参照）、前記押圧力が解除されたときに、アーム部材３２の弾性復元力によって初期位置に復帰することとなる。
【００１７】
前記装着部形成体２５は、前記ユニット支持部材１４の前部を受容する略トンネル状の空間Ｃを備えたカバー３４と、このカバー３４の前部位置で前記トンネルを横切る方向に延びる平面視略長方形状の板状部３５と、この板状部３５の下面側に連なるとともに、前記交差軸部１８を受け入れてこれを保持するようにカバー３４側に開放する側面視略半円弧状の受容部材３６とからなる。カバー３４の内面側下部には前記空間Ｃの裾幅を狭くする隆起部３４Ａ，３４Ａが形成されており、これら隆起部３４Ａ，３４Ａを乗り越えて空間Ｃにユニット支持部材１４を強制的に嵌め込むことにで当該ユニット支持部材１４に表示用ユニット１２が脱落不能に支持される。
【００１８】
前記前方部材２７は、前記一対の翼部材３０，３０の相対する内面３１，３１間において、前記板状部３５に連なる前片部４０と、この前片部４０の前端に連なって斜め下前方に向けられた傾斜片部４１（図４（Ａ）参照）とにより構成されている。前片部４０は、その上面側に前記ユニット支持部材１４の延出方向に沿って延びる一対の山形隆起部４４，４４を備え、それら山形隆起部４４，４４の頂部に、薄肉のヒンジ部４６を介して前記表示部材２１が連結され、これにより、表示部材２１は、ユニット本体２０と一体に形成された状態で、当該ユニット本体２０に対して相対回転する方向に移動可能となる。また、山形隆起部４４，４４間において、前記前片部４０の上面側は、面位置が若干低く設けられた溝部４８が形成されている。この溝部４８の領域内に、片状の屈曲部材５０の略半分領域が受容され、当該屈曲部材５０の後端側が溝部４８の後端側に薄肉のヒンジ部５２を介して連結されている。
【００１９】
前記翼部材３０，３０は、側面視略Ｌ字状をなし、その長片部３０Ａが前記板状部３５と略同一平面上に位置する一方、短片部３０Ｂが前方に位置して前記前方部材２７の傾斜片部４１と略同一面内に位置するようになっている。ここで、短片部３０Ｂと前記傾斜片部４１の各前面は、表示用ユニット１２の上部後面に面接触可能とされている。
【００２０】
前記表示位置復帰手段としてのアーム部材３２は薄片状に延びる長片部３２Ａと、当該長片部３２Ａの前端部に形成されるとともに、下向き後方に向けられた略半円弧状の折り曲げ部３２Ｂとにより構成されている。このアーム部材３２は、常時は前記長片部３２Ａが直線的に延びる初期形状を備え、前記表示部材２１に対して前方より後方に向かう押圧力が付与されたときに、その押圧力によって略弓なりに変形し、且つ、押圧力を解除したときに、前記初期形状に復帰可能な弾力を備えて構成されている。また、アーム部材３２は、それが初期形状を保つことにより、前方部材２７の前片部４０と、翼部材３０の長片部３０Ａ，３０Ａを装着部形成体２５の板状部３５と略同一平面上に位置させて表示部材２１を表示位置に保つこととなる。
【００２１】
前記表示部材２１は略方形の板状をなし、表示面２１Ａが前方向きとなって下端２１Ｂが上端２１Ｃよりも若干前方に位置する傾斜状態を表示位置として保持されている。この表示部材２１は、特に限定されるものではないが、上下方向幅が約２０ｍｍ程度とされ、その表示面２１Ａには、商品Ｇに関する品名、価格等の商品情報を表示するラベル等が貼付され、これにより、消費者が商品情報を視認できるようになっている。表示面２１Ａにおいて、その上部中央には、前記溝部４８に連なる溝部５５（図４（Ａ）参照）が上下方向に沿って形成されており、この溝部５５内に前記屈曲部材５０の残り半分領域が受容され、当該屈曲部材５０の前端が溝部５５の図４（Ａ）中下端部に薄肉のヒンジ部５６を介して連結されている。また、表示部材２１は、前記山形隆起部４４における頂部のヒンジ部４６を回転中心として回転可能とされ、表示部材２１の自由端となる下端２１Ｂが上端２１Ｃよりも僅かに上方となる略水平に近い位置に移動したときに、前記屈曲部材５０によって当該位置が保持されるようになっている。
【００２２】
次に、前記陳列用具１０及び表示用ユニット１２の作用について、図５及び図６をも参照しながら説明する。
【００２３】
陳列用具１０は、図示しない陳列什器のメッシュ領域を形成する線材Ｗに対して前記フック１７Ａを引っ掛けることにより所定箇所に装着され、この状態で、商品保持部材１６に対し、上向き屈曲部１６Ａを商品Ｇのパッケージに形成された図示しないパンチング穴に挿入することで、多数の同一商品Ｇを前後方向に並べて陳列することができる。
【００２４】
表示用ユニット１２は、前記表示部材２１の表示面２１Ａに所定の商品表示情報を示したラベルが貼付され、表示部材２１は、前記表示位置で静止した状態に保たれる。この状態では、表示部材２１の下端２１Ｂは商品保持部材１６の前端１６Ｂ位置よいも僅かに高い位置の前方にある。図１の状態では、商品保持部材１６の前端１６Ｂと表示部材２１の下端２１Ｂとの間が大きなスペースを有するように見えるが、実際のスペースは、表示部材２１の時計方向への回転を許容する程度、すなわち、表示部材２１の上下方向幅（本実施例では約２０ｍｍ）よりも僅かに大きい程度のものである。
【００２５】
ここで、商品保持部材１６の最前端にある商品Ｇを前方に抜き出すようにして当該商品Ｇ取り出しを行うとした場合、商品保持部材１６の前方に表示部材２１が表示位置に保たれているため、パッケージの上部領域が表示部材２１の後面側にぶつかるようにして取り出される場合が通常となる。この際、表示部材２１はヒンジ部４６を介して山形隆起部４４に連結されているため、下端２１Ｂが図１中半時計方向に回転して商品Ｇの取り出しを妨げることがないように一時的に半時計方向への回転移動を伴うこととなる。この回転移動が行われると、図５に示されるように、屈曲部材４０は初期の受容位置となる溝部４８，５５から抜け出して次第に突出する。この際、表示部材２１の回転角度は図５に示される位置となる回転角度よりも小さいのが通常であるから、表示部材２１は、表示位置に戻される力を屈曲部材５０によって受けることとなる。従って、商品Ｇを表示部材２１よりも前方に取り出した後には、当該表示部材２１は、前記屈曲部材５０によって初期の表示位置まで戻されることとなる。
【００２６】
消費者が商品保持部材１６から商品Ｇを取り出した後に、当該商品Ｇを元に戻そうとする場合には、必然的に取り出し操作の反対操作を行うこととなる。すると、表示部材２１の表示面２１Ａ側に商品Ｇのパッケージがぶつかって押圧力を受ける場合を生ずる。表示部材２１にこのような押圧力が加えられると、図６に示されるように、前記アーム３２が弓なり変形し、前記ヒンジ部２６，２９を回転中心として表示部材２１の下端２１Ｂを表示位置から後方へ回転移動し、表示面２１Ａが後方下向きとなる退避位置への移動を許容する。そして、この押圧力が解除されたとき、すなわち、商品Ｇのパッケージが表示部材２１の後面側に乗り越えたときに、当該表示部材２１は、アーム部材３２の弾性復元力で再び表示位置に戻ることとなる。
【００２７】
商品保持部材１６に対する商品Ｇの入れ替えや、補充を行う場合には、図５に示されるように、表示部材２１の下端２１Ｂを上端２１Ｃの位置よりも僅かに上方位置となる略水平位置まで半時計方向に回転させればよい（図５参照）。このとき、屈曲部材５０の後端側となるヒンジ部５２位置と、表示部材２１のヒンジ部４６位置との関係により、表示位置に戻そうとする力が及ばなくなり、これにより、表示部材２１の位置が保持されることとなる。そのため、表示用ユニット１２と商品保持部材１６との間の領域が開放した状態に保たれ、商品Ｇの入れ替え作業や補充作業をスムースに行うことができる。なお、商品Ｇの入れ替え作業等を終了した後は、前記表示部材２１に対して下方へ押し下げ力を付与すればよい。これにより、表示部材２１が僅かに時計方向に回転したときに、屈曲部材５０が溝部４８，５５に収まろうとする力で表示部材２１が表示位置に戻ることとなる。
【００２８】
従って、このような実施例によれば、表示部材２１がその表示面２１Ａを後方下向きとなる退避位置まで移動可能に設けられているため、取り出した商品Ｇを商品保持部材１６に再び戻そうとしたときに、商品保持部材１６の前方から戻す作業を行うことが可能となり、これにより、戻し操作が煩雑となる従来構造に見られる商品の置き去りという問題を解消することができる。
【００２９】
しかも、退避位置に移動した表示部材２１には、アーム部材３２による弾性復帰力が作用することで、表示部材２１に付与された後方への押圧力が解除されたときに、常に表示位置に復帰して同位置に保たれるので、表示部材２１に付された商品関連情報を一定の見易い位置に保つことが可能となり、陳列効果を消失させてしまうような不都合も生じない。
【００３０】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、材料、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３１】
例えば、前記実施例では、表示位置復帰手段としてアーム部材３２を設けたが、表示部材２１を表示位置に復帰させることができる限りにおいて、その他の部材に代替することを妨げない。例えば、前記実施例における翼部材３０の短片部３０Ｂを長片部３０Ａに対して屈曲変形できるようにし、短片部３０Ｂに弾性復帰力を付与することによって表示部材２１を表示位置に保つこと等が考えられる。
【００３２】
また、ユニット支持部材１４の前端部に交差軸部１８を設け、この交差軸部１８を受容する状態で表示用ユニット１２が装着された場合を図示、説明したが、交差軸部１８を設けることなく、表示用ユニット１２をユニット支持部材１４の軸先端に直接嵌め込むようにしてもよい。この場合には、表示用ユニット１２に受容部材３６を省略することができ、既存の陳列用具におけるユニット支持部材に適用することができる。
【００３３】
更に、商品保持部材１６の長さは、ユニット支持部材１４の長さよりも短く設定された場合を示したが、表示部材２１の時計方向への回転移動を許容することができる限りにおいて、商品保持部材１６の前端１６Ｂ位置を表示部材２１の下端直後に位置させることもできる。
【００３４】
【発明の効果】
以上説明したように、本発明によれば、表示部材が後方に向かって退避することができるため、陳列用具の部品として適用したときに、取り出した商品を元の位置に戻す際に表示部材が邪魔な存在になり難くなり、周辺に商品を置き去りにしてしまうという不都合を解消することができる。しかも、表示部材が退避しても、その退避を行わせる押圧力が解除されたときに、表示位置に復帰することができるので、表示部材の見易い状態を維持できる、という従来にない優れた効果を奏する表示用ユニット及びこれを用いた陳列用具を提供することができる。
【００３５】
また、前記表示部材は、ユニット本体と一体に設けられているから、蝶番等の部材を用いる必要性を廃した部品点数の削減を図って製造コストも削減することができる。
【００３６】
更に、前記表示位置復帰手段を弾性部材により構成した場合には、ユニット本体との一体的な成形が可能となる他、表示部材の回転中心回りにコイルばね等を設ける構造を廃してシンプルな構成とすることができる。
【図面の簡単な説明】
【図１】陳列用具の概略側面図。
【図２】陳列用ユニットの拡大斜視図。
【図３】図２の一部分解斜視図。
【図４】（Ａ）は図２のＡ−Ａ線断面図、（Ｂ）は図２のＢ−Ｂ線断面図、（Ｃ）は図２のＣ−Ｃ線断面図。
【図５】表示部材を退避位置に移動させた状態を示す陳列用具の概略側面図。
【図６】保持部材に商品を保持させる際の表示部材の移動状態を示す陳列用具の概略側面図。
【図７】従来の陳列用具の概略斜視図。
【図８】従来の陳列用具の不都合を説明するための側面図。
【符号の説明】
１０  陳列用具
１２  表示用ユニット
１４  ユニット支持部材
１６  商品保持部材
２０  ユニット本体
２１  表示部材
２６  ヒンジ部
２９  ヒンジ部
３２  アーム部材（表示位置復帰手段）
４６  ヒンジ部
５０  屈曲部材
５６  ヒンジ部
【図１】
2004229985.tif 000003
【図２】
2004229985.tif 000004
【図３】
2004229985.tif 000005
【図４】
2004229985.tif 000006
【図５】
2004229985.tif 000007
【図６】
2004229985.tif 000008
【図７】
2004229985.tif 000009
【図８】
2004229985.tif 000010